(57)【要約】【課題】画像情報の取込と表示とが共通の装置で行え、スペース的にもコスト的にも優れ、また、無用な画像情報の転送もなく、適切な領域指定で編集を行う。【解決手段】原稿読取装置１における制御は、オペレータによる制御方法入力部１４とペン３による入力操作に基づいて制御部１８によって実行される。画像取込機能付ディスプレイ１１上にセットされた原稿２の画像データを読み込み、読み込んだ画像データを、画像取込機能付ディスプレイ１１で表示する。この表示した画像データについてペン３による領域指定がある場合は、データ生成部１５にて画像データを加工して領域データのみを表示させる。このペン３による領域指定が終了した場合には、メモリ１６に表示したデータを保存する。【選択図】図１
2006189939.tif 000002
【特許請求の範囲】
【請求項１】
画面を通じて画像情報の取込と表示とが行えるディスプレイ手段と、
上記ディスプレイ手段から画像情報を取り込む画像取込手段と、
上記画像取込手段で取り込んだ画像情報を上記ディスプレイ手段に表示させる画像表示手段と、
上記画像表示手段で表示した画像情報に対し選択的に領域を設定する領域設定手段と、
上記領域設定手段で設定した領域を抽出し、上記ディスプレイ手段上に表示させる抽出表示手段と、
少なくとも上記抽出表示手段で抽出した領域を保存する保存手段と、
を備えたことを特徴とする表示装置。
【請求項２】
上記領域設定手段が設定する領域は、外部入力手段により選択された領域であることを特徴とする請求項１記載の表示装置。
【請求項３】
上記外部入力手段は、少なくとも光を発生自在で上記ディスプレイ手段上に直接入力するペンであることを特徴とする請求項２記載の表示装置。
【請求項４】
画面を通じて画像情報の取込と表示とが行えるディスプレイ手段から画像情報を取り込む画像取込手段と、
上記画像取込手段で取り込んだ画像情報を上記ディスプレイ手段に表示させる画像表示手段と、
上記画像表示手段で表示した画像情報に対し選択的に領域を設定する領域設定手段と、
上記領域設定手段で設定した領域を抽出し、上記ディスプレイ手段上に表示させる抽出表示手段と、
少なくとも上記抽出表示手段で抽出した領域を保存する保存手段と、
を備えたことを特徴とする編集装置。
【請求項５】
上記領域設定手段が設定する領域は、外部入力手段により選択された領域であることを特徴とする請求項４記載の編集装置。
【請求項６】
上記外部入力手段は、少なくとも光を発生自在で上記ディスプレイ手段上に直接入力するペンであることを特徴とする請求項５記載の編集装置。
【請求項７】
画面を通じて画像情報の取込と表示とが行えるディスプレイ手段から画像情報を取り込む画像取込ステップと、
上記画像取込ステップで取り込んだ画像情報を上記ディスプレイ手段に表示させる画像表示ステップと、
上記画像表示ステップで表示した画像情報に対し選択的に領域を設定する領域設定ステップと、
上記領域設定ステップで設定した領域を抽出し、上記ディスプレイ手段上に表示させる抽出表示ステップと、
少なくとも上記抽出表示ステップで抽出した領域を保存する保存ステップと、
を備えたことを特徴とする編集方法。
【請求項８】
上記領域設定手ステップで設定する領域は、少なくとも光を発生自在で上記ディスプレイ手段上に直接入力するペンにより選択された領域であることを特徴とする請求項７記載の編集方法。
【発明の詳細な説明】
【技術分野】
【０００１】
本発明は、画像情報の取込と表示とが行えるディスプレイを用いた表示装置、編集装置、及び、その編集方法に関する。
【背景技術】
【０００２】
近年、必要なデータを可能な限り限定し、或いは、所望のデータとして合成し、保存する様々な技術が提案されている。
【０００３】
例えば、特開平５−４８８７８号公報では、複写機で読み込んだ原稿を、表示装置の表示画面上に表示し、ポインティングデバイスで指定した領域を切り出し、ファイルに保存する。後に、それらを読み出し表示して、編集し、印刷出力する技術が開示されている。
【特許文献１】特開平５−４８８７８号公報
【発明の開示】
【発明が解決しようとする課題】
【０００４】
しかしながら、上述の特許文献１に開示される技術では、原稿を読み込むための複写機と、読み込んだデータを表示する表示装置とが必要で、スペース的にもコスト的にも非効率であるという問題がある。また、読み込んだデータを一度表示装置で表示させ、表示装置を見ながら、ポインティングデバイスで領域を指定するという構成をとるため、データの転送効率も悪く、適切な領域指定も行い難いという問題もある。
【０００５】
本発明は上記事情に鑑みてなされたもので、画像情報の取込と表示とが共通の装置で行え、スペース的にもコスト的にも優れ、また、無用な画像情報の転送もなく、適切な領域指定で編集を行うことができる表示装置、編集装置、及び、その編集方法を提供することを目的とする。
【課題を解決するための手段】
【０００６】
本発明は、画面を通じて画像情報の取込と表示とが行えるディスプレイ手段と、上記ディスプレイ手段から画像情報を取り込む画像取込手段と、上記画像取込手段で取り込んだ画像情報を上記ディスプレイ手段に表示させる画像表示手段と、上記画像表示手段で表示した画像情報に対し選択的に領域を設定する領域設定手段と、上記領域設定手段で設定した領域を抽出し、上記ディスプレイ手段上に表示させる抽出表示手段と、少なくとも上記抽出表示手段で抽出した領域を保存する保存手段とを備えたことを特徴としている。
【発明の効果】
【０００７】
本発明による表示装置、編集装置、及び、その編集方法によれば、画像情報の取込と表示とが共通の装置で行え、スペース的にもコスト的にも優れ、また、無用な画像情報の転送もなく、適切な領域指定で編集を行うことが可能となる。
【発明を実施するための最良の形態】
【０００８】
以下、図面に基づいて本発明の実施の形態を説明する。  
図１〜図７は本発明の実施の第１形態を示し、図１は原稿読取装置の概略構成を示す機能ブロック図、図２は原稿読取方法と読取画像の表示の説明図、図３は領域指定方法とデータ生成後の結果の説明図、図４は制御方法入力部のスイッチの一例を示す説明図、図５は原稿読取装置で実行される編集処理プログラムのフローチャート、図６は図５のフローチャートを詳細にしたフローチャート、図７はデータ転送時のデータ量の違いの説明図、図８は画像データを合成する場合の一例を示す説明図、図９は制御方法入力部を画像取込機能付ディスプレイで一体に表示する例の説明図である。
【０００９】
図１において、符号１は表示装置、編集装置としての原稿読取装置を示し、この原稿読取装置１は、画像取込機能付ディスプレイ１１と、読取部１２と、表示部１３と、制御方法入力部１４と、データ生成部１５と、メモリ１６と、外部インターフェース（以下、外部Ｉ／Ｆ）部１７と、制御部１８を有して主要に構成されている。
【００１０】
画像取込機能付ディスプレイ１１は、ディスプレイ手段としてのものであり、画素ＴＦＴとフォトダイオードセンサのアレイで構成される画像取込機能を備えたディスプレイで、例えば、特開２００４−１５３３２７号公報に記載されるものである。
【００１１】
すなわち、画像取込機能付ディスプレイ１１は、ガラス基板と半導体基板とで構成されており、ガラス基板上には、信号線及び走査線が列設される画素アレイ部と、信号線を駆動する信号線駆動回路と、走査線を駆動する走査線駆動回路と、画像を取り込んで出力する検出回路、出力回路とが設けられている。また、半導体基板上には、表示制御及び画像取込制御を行うロジックＩＣが実装されている。このように構成される画像取込機能付ディスプレイ１１では、通常の表示動作を行うことも可能で、また、スキャナと同様の画像取込を行うことも可能になっている。
【００１２】
読取部１２は、画像取込手段として設けられるものであり、制御部１８からの指示により、画像取込機能付ディスプレイ１１から画像データを取り込む。例えば、図２（ａ）に示すような、原稿２の画像データを取り込む場合、図２（ｂ）に示すように、原稿２の取り込み側の面を画像取込機能付ディスプレイ１１に当接してセットし、画像データの取り込みを行う。
【００１３】
また、読取部１２は、制御部１８からの指示により、図３（ａ）に示すように、光を発生自在なペン３で、画像取込機能付ディスプレイ１１上に直接入力される情報も取り込むように構成されている。
【００１４】
上記ペン３は、外部入力手段としてのものであり、例えば、着脱自在なペンで、画像取込機能付ディスプレイ１１上に接することで発光するように構成されている。この光は、外光より強い光（高い照度の光）であり、画像取込機能付ディスプレイ１１で取り込むことのできる光である。そして、このペン３で、画像取込機能付ディスプレイ１１上をなぞることにより、ペン３により区画される領域と、他の領域とが判別可能となる。尚、ペン３は、外光より強い光を発するもの以外に、外光とは異なる波長の光を発するペンであっても良い。
【００１５】
表示部１３は、画像表示手段として設けられるものであり、制御部１８からの指示により、画像取込機能付ディスプレイ１１上に画像データを表示させる。例えば、上述の如く、図２（ａ）に示す原稿を図２（ｂ）のように取り込んだ場合、その画像は、図２（ｃ）に示すように表示する。また、取り込んだ画像に加え、ペン３によりなぞられる軌跡も、図３（ａ）に示すように、表示する。
【００１６】
制御方法入力部１４は、読取部１２による画像データの取り込みの開始／終了や、上記ペン３にて指示されるデータ保存の領域を指定するための機能部として設けられている。
【００１７】
このため、例えば、図４に示すように、「原稿読取」、「データ保存」、領域指定の「開始」、領域指定の「終了」の４つのスイッチを有して構成されている。
【００１８】
ここで、「原稿読取」のスイッチは、画像取込機能付ディスプレイ１１に原稿をセットし、読み取りの開始を指示するスイッチとなっている。
【００１９】
また、「データ保存」のスイッチは、画像取込機能付ディスプレイ１１に表示されているデータの保存を指示するスイッチとなっている。
【００２０】
領域指定の「開始」のスイッチは、必要なデータをペン３で指定する作業の開始を指示するスイッチとなっている。すなわち、この「開始」スイッチを押すことにより、図３（ａ）に示すような、ペン３による領域指定を行うようになっている。
【００２１】
また、領域指定の「終了」のスイッチは、上記ペン３での領域指定を終了することを指示するスイッチとなっている。
【００２２】
このように、制御方法入力部１４は、領域設定手段としての機能を有して構成される。
【００２３】
データ生成部１５は、抽出表示手段として設けられ、制御部１８からの指示により、制御方法入力部１４で指定された方法に応じて、読み込んだ情報やメモリ１６にアクセスし、データを生成する。例えば、図３（ａ）のような領域が制御方法入力部１４により指定されていた場合、この指定された領域に対応した、図３（ｂ）に示す、領域５ａ，５ｂのみが必要なデータとして切り出され、画像取込機能付ディスプレイ１１に表示される。
【００２４】
メモリ１６は、制御部１８から送られてきたデータを格納するものであり、保存手段としての機能を有している。
【００２５】
外部Ｉ／Ｆ部１７は、メモリ１６の情報を、例えば、図示しないパーソナルコンピュータやプリンタ等の外部装置へ転送するためのインターフェースであり、ＵＳＢ（Universal Serial Bus）等により外部装置と接続することで、この外部装置からの要求に応じてメモリ１６からデータを転送するようになっている。
【００２６】
制御部１８は、後述の図５に示すフローチャートに従って、本原稿読取装置１における全制御を実行するものであり、上述の如く、読取部１２と表示部１３と制御方法入力部１４とを制御し、結果をメモリ１６に記憶させる。
【００２７】
また、制御部１８は、データ生成部１５も制御することで、メモリ１６内にあるデータを変更することが可能になっている。
【００２８】
更に、制御部１８は、外部Ｉ／Ｆ部１７の制御も行い、メモリ１６からのデータ転送を可能としている。
【００２９】
次に、図５に示すフローチャートで、原稿読取装置１で実行される編集処理プログラムを説明する。
【００３０】
まず、ステップ（以下、「Ｓ」と略称）１０１で、図２（ｂ）に示すように、画像取込機能付ディスプレイ１１上にセットされた原稿２の画像データを、制御方法入力部１４の「原稿読取」のスイッチを押して読み込む。
【００３１】
次いで、Ｓ１０２に進み、上記Ｓ１０１で読み込んだ画像データを、画像取込機能付ディスプレイ１１に表示する。
【００３２】
次に、Ｓ１０３に進むと、制御方法入力部１４の領域指定の「開始」のスイッチが押されて、ペン３による領域指定があるか否かが判定される。
【００３３】
このＳ１０３の判定の結果、ペン３による領域指定がある場合は、Ｓ１０４に進み、データ生成部１５にて画像データを加工して領域データのみを表示させる（例えば、図３（ｂ））一方、ペン３による領域指定がない場合には、ペン３による領域指定を待機する。
【００３４】
Ｓ１０４で領域データの表示処理を実行した後は、Ｓ１０５に進み、制御方法入力部１４の領域指定の「開始」のスイッチが押されて、ペン３による領域指定の「終了」のスイッチが押され、領域指定の終了指示が行われたか否か判定する。
【００３５】
Ｓ１０５の判定の結果、領域指定の終了指示が行われたと判定した場合は、Ｓ１０６に進み、メモリ１６にＳ１０４で表示したデータを保存し、プログラムを抜ける。また、領域指定の終了指示が行われない場合は、Ｓ１０２に戻り、その表示に対して上述の処理を繰り返す。
【００３６】
図６のフローチャートは、図５のフローチャートの、特に、Ｓ１０３以降の処理をより詳細にしたフローチャートを示す。
【００３７】
まず、Ｓ２０１で、図２（ｂ）に示すように、画像取込機能付ディスプレイ１１上にセットされた原稿２の画像データを、制御方法入力部１４の「原稿読取」のスイッチを押して読み込む。
【００３８】
次いで、Ｓ２０２に進み、上記Ｓ２０１で読み込んだ画像データを、画像取込機能付ディスプレイ１１に表示する。
【００３９】
次に、Ｓ２０３に進み、制御方法入力部１４の「データ保存」のスイッチが押されたか否か判定され、「データ保存」のスイッチが押された場合は、Ｓ２０４に進んで、現在の表示内容をメモリ１６にデータ保存してプログラムを抜ける。
【００４０】
また、Ｓ２０３の判定の結果、「データ保存」のスイッチが押されない場合は、Ｓ２０５に進み、制御方法入力部１４の領域指定の「開始」のスイッチが押されて、ペン３による領域指定があるか否かが判定される。
【００４１】
このＳ２０５の判定の結果、領域指定の「開始」のスイッチが押されていないのであれば、Ｓ２０３へと戻り、領域指定の「開始」のスイッチが押されているのであればＳ２０６に進んで、領域指定の「終了」のスイッチが押されているか否か判定される。
【００４２】
そして、Ｓ２０６の判定の結果、領域指定の「終了」のスイッチが押されていると判定した場合は、Ｓ２０７に進み、データ生成部１５は、ペン３による領域指定により読み込みを行った制御情報、領域を基にデータを生成加工してＳ２０２に戻り、再び、この生成加工したデータを表示させる。
【００４３】
一方、Ｓ２０６の判定の結果、領域指定の「終了」のスイッチが押されていないと判定した場合は、Ｓ２０８に進み、Ｓ２０６で、領域指定が「終了」と判定されるまでの間、ペン３から出力される光を制御情報として全て画像取込機能付ディスプレイ１１から読み込む。
【００４４】
このように、本発明の実施の第１形態によれば、画像取込機能付ディスプレイ１１で取り込んだ画像情報を、画像取込機能付ディスプレイ１１上に表示させ、画像取込機能付ディスプレイ１１上で編集し、必要な画像情報のみを記録するようになっている。従って、画像情報の取込と表示とが共通の装置で行え、スペース的にもコスト的にも優れ、また、無用な画像情報の転送もなく、適切な領域指定で編集を行うことが可能となる。例えば、図７に示すように、従来、スキャナ等で読み取ったデータを編集するには、はじめに、原稿の全ての領域のデータをパーソナルコンピュータに転送し、このパーソナルコンピュータのディスプレイ上で編集作業を行うため、無用なデータの転送により、データの転送効率が悪いという問題が生じていた。しかしながら、本発明では、画像取込機能付ディスプレイ１１上で取込、表示、編集が行えるため、パーソナルコンピュータにデータを保存する際には、必要な部分（図７中の領域５ａ，５ｂの部分）の画像データのみ転送すれば良く、転送効率も良い。
【００４５】
また、本原稿読取装置１を利用することで、図８に示すように、メモリ１６に保存された複数のデータを合成し、新たなデータを作成して保存することも可能となる。例えば、図８では、メモリ１６に記憶しておいた、図８（ａ）に示すデータと図８（ｂ）データとを合成し、図８（ｃ）に示すデータを作成した場合の例を示す。この場合、制御方法入力部１４には、合成画像を指定するスイッチや、縮尺の設定を行うスイッチ等を追加する。
【００４６】
尚、本実施の第１形態では、制御方法入力部１４をスイッチとしたが、図９に示すように、大きな面の画像取込機能付ディスプレイ１１ａの一部（図９では下側）に、制御方法入力部１４ａを表示させ、原稿読取装置１の一体化を図るようにしても良い。このような構成は、制御方法入力部１４ａの部分のみタッチパネルで形成しても同様の効果が得られる。
【００４７】
また、本実施の第１形態では、領域の指定はペン３により画像取込機能付ディスプレイ１１上をなぞることで行うようになっているが、領域が矩形や円形のような図形の場合は、その図形を指定したり、或いは、図形の頂点をマーキングすることにより指定して入力するようにしても良い。
【００４８】
次に、図１０は本発明の実施の第２形態による原稿読取装置の概略構成を示す機能ブロック図を示す。尚、本実施の第２形態は、領域設定をペン３のみならず、他の外部入力装置により行えるように構成した点が上述の第１形態とは異なり、同じ構成には同じ符号を記し、説明は省略する。
【００４９】
すなわち、図１０に示すように、本実施の第２形態による原稿読取装置１は、画像取込機能付ディスプレイ１１と、読取部１２と、表示部１３と、制御方法入力部１４と、データ生成部１５と、メモリ１６と、外部Ｉ／Ｆ部１７と、制御部１８に加え、ＵＳＢ等の外部入力インターフェース（以下、外部入力Ｉ／Ｆ）部２１を介して外部入力装置２２が接続されている。
【００５０】
外部入力装置２２としては、例えば、キーボードであって、キー入力により画像取込機能付ディスプレイ１１上の座標を（ｘ１，ｙ１）〜（ｘｎ，ｙｎ）というようにサイズ指定する。
【００５１】
また、予め、画像取込機能付ディスプレイ１１上にカーソルを表示しておき、キーボードによりカーソルを移動してサイズ指定するものであっても良い。
【００５２】
更に、外部入力装置２２としては、例えば、マウスのようなポインティングデバイスであって、範囲を指定するものであっても良い。
【００５３】
また、制御方法入力部１４は、前述の如く、「原稿読取」、「データ保存」、領域指定の「開始」、「終了」を指示するものであるが、この制御方法入力部１４にテンキー等を付加して画像取込機能付ディスプレイ１１上の座標を入力できるようにして、上記外部入力装置２２と同等の機能を持たせるようにしても良い。
【００５４】
このように、本実施の第２形態によれば、前期第１形態の効果に加え、ペン３以外の外部入力装置２２によっても領域の指定ができるので、利便性をいっそう向上させることができる。
【００５５】
尚、本実施の第１、第２形態では、表示装置、編集装置として原稿読取装置の例で説明したが、ディスプレイ装置を有する装置であれば同様に利用可能である。例えば、パーソナルコンピュータと一体化された画像取込機能付ディスプレイで、読み取った画像を画像取込機能付ディスプレイで表示し、必要な領域のみを画面上で範囲指定し編集してデータ化する。
【図面の簡単な説明】
【００５６】
【図１】本発明の実施の第１形態による、原稿読取装置の概略構成を示す機能ブロック図
【図２】同上、原稿読取方法と読取画像の表示の説明図
【図３】同上、領域指定方法とデータ生成後の結果の説明図
【図４】同上、制御方法入力部のスイッチの一例を示す説明図
【図５】同上、原稿読取装置で実行される編集処理プログラムのフローチャート
【図６】同上、図５のフローチャートを詳細にしたフローチャート
【図７】同上、データ転送時のデータ量の違いの説明図
【図８】同上、画像データを合成する場合の一例を示す説明図
【図９】同上、制御方法入力部を画像取込機能付ディスプレイで一体に表示する例の説明図
【図１０】本発明の実施の第２形態による、原稿読取装置の概略構成を示す機能ブロック図
【符号の説明】
【００５７】
１    原稿読取装置（表示装置、編集装置）
２    原稿
３    ペン（外部入力手段）
１１    画像取込機能付ディスプレイ
１２    読取部（画像取込手段）
１３    表示部（画像表示手段）
１４    制御方法入力部（領域設定手段）
１５    データ生成部（抽出表示手段）
１６    メモリ（保存手段）
１７    外部インターフェース部
１８    制御部
代理人    弁理士    伊  藤    進
【図１】
2006189939.tif 000003
【図２】
2006189939.tif 000004
【図３】
2006189939.tif 000005
【図４】
2006189939.tif 000006
【図５】
2006189939.tif 000007
【図６】
2006189939.tif 000008
【図７】
2006189939.tif 000009
【図８】
2006189939.tif 000010
【図９】
2006189939.tif 000011
【図１０】
2006189939.tif 000012